(57)【特許請求の範囲】
【請求項１】
所定の付加データが付加されたコンテンツデータを出力するデータ出力方法において、
前記所定の付加データには、ユーザの特典の情報を含む広告情報が含まれており、前記コンテンツデータの出力の際に、前記広告情報が再生されたときに、前記ユーザの特典の情報が前記付加データ中に含まれているか否かが判別され、含まれていると判別されたときには、前記付加データ中から前記ユーザの特典の情報が抽出されて入手され、前記ユーザの特典の情報が前記付加データ中に含まれていないと判別されたときには、ネットワークを通じて予め定められている相手先にアクセスすることにより前記ユーザの特典の情報が入手されるようにするデータ出力方法。
【請求項２】
請求項１に記載のデータ出力方法において、
前記広告情報の再生開始指示があったとき、前記広告情報が再生されたとして、前記ユーザの特典の情報が入手されるようにするデータ出力方法。
【請求項３】
前記コンテンツデータの出力には課金がなされるものであって、前記ユーザの特典には、前記課金に対する特典が含まれる請求項１に記載のデータ出力方法。
【請求項４】
前記ユーザの特典には、前記コンテンツデータに付随する所定のデータの取得権を含む請求項１に記載のデータ出力方法。
【請求項５】
前記ユーザの特典には、前記コンテンツデータの出力品質を、前記広告情報を再生しなかった場合に比べて高品質にすることを含む請求項１に記載のデータ出力方法。
【請求項６】
所定の付加データが付加されたコンテンツデータを出力するデータ出力装置において、
前記所定の付加データには、ユーザの特典の情報を含む広告情報が含まれており、前記コンテンツデータの出力の際に、前記広告情報が再生されたか否かを検出する検出手段と、
前記検出手段で前記広告情報が再生されたことが検出されたときに、前記ユーザの特典の情報が前記付加データ中に含まれているか否かが判別され、含まれていると判別されたときには、前記付加データ中から前記ユーザの特典の情報を抽出して入手し、含まれていないと判別したときには、ネットワークを通じて予め定められている相手先にアクセスすることにより前記ユーザの特典の情報を入手する手段と
を備えるデータ出力装置。
【請求項７】
請求項６に記載のデータ出力装置において、
前記検出手段は、広告情報の再生開始指示があったとき、前記広告情報が再生されたと検出するデータ出力装置。
【請求項８】
前記コンテンツデータの出力には課金がなされるものであって、前記ユーザの特典には、前記課金に対する特典が含まれる請求項６に記載のデータ出力装置。
【請求項９】
前記ユーザの特典には、前記コンテンツデータに付随する所定のデータの取得権を含む請求項６に記載のデータ出力装置。
【請求項１０】
前記ユーザの特典には、前記コンテンツデータの出力品質を、前記広告情報を再生しなかった場合に比べて高品質にすることを含む請求項６に記載のデータ出力装置。
【請求項１１】
ユーザの特典の情報を含む広告情報が付加されたコンテンツデータが記録された記録媒体から前記コンテンツデータを読み出して再生する再生方法において、
前記コンテンツデータの再生に際し、前記広告情報が再生されたときに、前記ユーザの特典の情報が前記付加データ中に含まれているか否かが判別され、含まれていると判別されたときには、前記付加データ中から前記ユーザの特典の情報が抽出されて入手され、含まれていないと判別されたときには、ネットワークを通じて予め定められている相手先にアクセスされることにより前記ユーザの特典の情報が入手されるようにするデータ再生方法。
【請求項１２】
請求項１１に記載のデータ再生方法において、
前記広告情報の再生開始指示があったとき、前記広告情報が再生されたとして、前記ユーザの特典の情報が入手されるようにするデータ再生方法。
【請求項１３】
前記コンテンツデータの再生には課金がなされるものであって、前記ユーザの特典には、前記課金に対する特典が含まれる請求項１１に記載のデータ再生方法。
【請求項１４】
前記ユーザの特典には、前記コンテンツデータに付随する所定のデータの取得権を含む請求項１１に記載のデータ再生方法。
【請求項１５】
前記ユーザの特典には、前記コンテンツデータの再生品質を、前記広告情報を再生しなかった場合に比べて高品質にすることを含む請求項１１に記載のデータ再生方法。
【請求項１６】
ユーザの特典の情報を含む広告情報が付加されたコンテンツデータが記録された記録媒体から前記コンテンツデータを読み出して再生するデータ再生装置において、
前記コンテンツデータの再生の際に、前記広告情報が再生されたか否かを検出する検出手段と、
前記検出手段で前記広告情報が再生されたことが検出されたときに、前記ユーザの特典の情報が前記付加データ中に含まれているか否かを判別し、含まれていると判別したときには、前記付加データ中から前記ユーザの特典の情報を抽出して入手し、含まれていないと判別したときには、ネットワークを通じて予め定められている相手先にアクセスすることにより前記ユーザの特典の情報を入手する手段と
を備えるデータ再生装置。
【請求項１７】
請求項１６に記載のデータ再生装置において、
前記検出手段は、広告情報の再生開始指示があったとき、前記広告情報が再生されたと検出するデータ再生装置。
【請求項１８】
前記コンテンツデータの再生には課金がなされるものであって、前記ユーザの特典には、前記課金に対する特典が含まれる請求項１６に記載のデータ再生装置。
【請求項１９】
前記ユーザの特典には、前記コンテンツデータに付随する所定のデータの取得権を含む請求項１６に記載のデータ再生装置。
【請求項２０】
前記ユーザの特典には、前記コンテンツデータの再生品質を、前記所定の付加データを利用しなかった場合に比べて高品質にすることを含む請求項１６に記載のデータ再生装置。
【発明の詳細な説明】
【０００１】
【発明の属する技術分野】
この発明は、例えば、音楽や映画やゲームプログラムなどのコンテンツのデータ（音楽データ、映画の画像および音声データ、ゲームプログラムデータなど；以下、これらのデータを、この明細書ではコンテンツデータという）を出力するデータ出力方法および装置、前記コンテンツデータのデータ再生方法および装置に関する。
【０００２】
【従来の技術】
近年、インターネット、コンパクトディスク、デジタルビデオディスクなどのデジタルコンテンツの普及に伴い、このデジタルコンテンツについての不正な複製（コピー）による著作権侵害が問題となっている。
【０００３】
このため、著作権保護の観点から、この問題に対処するため、デジタルコンテンツに複製制御情報などの著作権情報を付加し、この付加情報を用いて、不正な複製（コピー）を防止することが考えられている。この不正コピー防止技術のうちで、付加情報についての不正な改ざんが困難であるという点で、電子透かし（ウォータマーク）技術が注目されている。
【０００４】
電子透かし処理は、画像データや音楽データに存在する人間の知覚上の重要でない部分、すなわち、音楽や映像に対して冗長でない部分に、雑音として付加情報を埋め込む処理である。
【０００５】
このような電子透かし処理により画像データや音楽データ中に埋め込まれた付加情報は、その画像データや音楽データから除去されにくい。一方、画像データや音楽データについてフィルタリング処理やデータ圧縮処理をした後であっても、それらに埋め込まれた付加情報を画像データや音楽データ中から検出することが可能である。
【０００６】
したがって、この電子透かしの付加情報（以下、電子透かし情報という）として、複製世代制限情報などの著作権情報を、コンテンツデータに埋め込んで伝送し、複製制御（コピー制御）に用いることにより、コンテンツデータについての有効な著作権保護が期待できる。
【０００７】
【発明が解決しようとする課題】
しかしながら、電子透かし情報の検出器は比較的高価格である。このため、出力装置、再生装置や記録装置の製造者にとってはコスト負担増となるので、ユーザによる積極的な利用が担保されるような仕組みがないときには、法的に拘束されない限り、電子透かし情報の検出器の装置への搭載を、製造者に強制することは困難である。
【０００８】
また、同様に、コンテンツデータに広告情報などの付加情報が付加されたときにも、その付加情報がユーザにより積極的に利用されるような仕組みの存在が重要である。
【０００９】
この発明は、以上の点にかんがみ、電子透かし情報や広告情報などのコンテンツデータの付加データについてのユーザによる積極的な利用が図れる仕組みとして有効なものを備えるデータ出力方法、再生方法およびそれらの装置を提供することを目的とする。
【００１０】
【課題を解決するための手段】
上記課題を解決するため、この発明によるデータ出力方法は、
所定の付加データが付加されたコンテンツデータを出力するデータ出力方法において、
前記所定の付加データには、ユーザの特典の情報を含む広告情報が含まれており、前記コンテンツデータの出力の際に、前記広告情報が再生されたときに、前記ユーザの特典の情報が前記付加データ中に含まれているか否かが判別され、含まれていると判別されたときには、前記付加データ中から前記ユーザの特典の情報が抽出されて入手され、前記ユーザの特典の情報が前記付加データ中に含まれていないと判別されたときには、ネットワークを通じて予め定められている相手先にアクセスすることにより前記ユーザの特典の情報が入手されるようにすることを特徴とする。
【００１１】
上述の構成のデータ出力方法によれば、広告情報にはユーザの特典の情報が含まれ、広告情報が再生されたときにのみ、ユーザの特典の情報が入手される。したがって、広告情報が積極的に再生されることが期待される。
【００１３】
また、ユーザ特典の存在により、広告のヒット率が向上し、効果的な広告がうてるという効果がある。
【００１４】
【発明の実施の形態】
以下、この発明の実施の形態を、図を参照しながら説明する。
【００１５】
［データ再生装置の第１の実施の形態］
図１は、データ再生装置の第１の実施の形態のブロック図である。この第１の実施の形態は、データ出力装置の実施の形態でもある。この第１の実施の形態は、コンテンツデータが音楽データの場合である。そして、この第１の実施形態は、後述するこの発明の実施形態である第２の実施形態について参考となるものである。
【００１６】
この第１の実施の形態の再生対象の記録媒体は、光ディスク１０である。そして、この実施の形態では、プリペイド方式により再生について課金が施されるようにされている。
【００１７】
光ディスク１０としては、再生専用（以下、ＲＯＭ（Ｒｅａｄ  Ｏｎｌｙ  Ｍｅｍｏｒｙ）タイプという）のディスクと、記録可能（以下、ＲＡＭ（Ｒａｎｄｏｍ  Ａｃｃｅｓｓ  Ｍｅｍｏｒｙ）タイプという）のディスクとが装着可能であり、いずれのディスクからもデータ再生が可能である。
【００１８】
前者のＲＯＭタイプディスクは、レコード会社などでのオーサリングシステムによって記録されたものであり、後者のＲＡＭタイプディスクは、ユーザによる個人的使用における記録が可能なものである。ＲＡＭタイプの光ディスクとしては、この実施の形態では、ＣＤ−Ｒ（Ｃｏｍｐａｃｔ  Ｄｉｓｃ−Ｒｅｃｏｒｄａｂｌｅ）およびＣＤ−ＲＷ（Ｃｏｍｐａｃｔ  Ｄｉｓｃ−ＲｅＷｒｉｔａｂｌｅ）が用いられる。
【００１９】
この実施の形態においては、ＲＯＭタイプのディスクに記録されたコンテンツデータは暗号化処理されている。そして、ＲＯＭタイプのディスクには、図２Ａに示すように、ピット１をウォブリングさせた部分が形成されており、この部分のピットウォブル情報として暗号化キーが記録されている。
【００２０】
ピットウォブル情報は、通常の記録装置では記録することができないので、ＲＡＭタイプのディスクにコピーした場合には、図２Ｂのようなウォブリング無しのピット列として形成される。したがって、この実施の形態のデータ再生装置では、ピットウォブルを検出することにより、光ディスク１０が、ＲＯＭタイプか、あるいはＲＡＭタイプかを判別し、ＲＯＭタイプのときには、ピットウォブル情報から暗号化キーの情報を抽出して、暗号化されているコンテンツデータの暗号を解読するようにする。
【００２１】
なお、ＲＡＭディスクにコンテンツデータを記録する場合も、コンテンツデータを暗号化して記録するようにしても勿論よい。その場合に、暗号化キーの情報は、例えばネットワークから取得する方法や、電子透かしの付加情報から取得する方法等を用いることができる。
【００２２】
また、この実施の形態においては、コンテンツデータは、データ圧縮されてディスクに記録されている。
【００２３】
また、この実施の形態においては、著作権情報およびユーザの特典の情報を含む付加データが、電子透かし情報としてコンテンツデータに付加されている。電子透かし情報は、図３に示すように、オーディオデータに重畳しても、当該オーディオデータの再生時に聴感上目立たないようにして、オーディオデータに埋め込まれる。電子透かし処理としては、スペクトラム拡散を利用したもの、マスキング効果を利用したものなどが用いられる。
【００２４】
この実施の形態で、電子透かし情報として埋め込まれる付加データは、例えば図４に示すような構造の６４ビットのデータとされる。すなわち、図４において、先頭の８ビットは同期信号ＳＹＮＣ、次の２ビットは、著作権情報とされる。この著作権情報としては、この実施の形態では、オーディオデータについて採用されているコピー世代制限情報であるＳＣＭＳ（Ｓｅｒｉａｌ  Ｃｏｐｙ  Ｍａｎａｇｅｍｅｎｔ  Ｓｙｓｔｅｍ）情報を用いる。このＳＣＭＳ情報は、図５に示すような２ビットの情報である。
【００２５】
ＳＣＭＳ情報の後の７ビットは課金割引率のデータとされ、その次の３９ビットはユーザ特典データとされる。課金割引率およびユーザ特典データは、この実施の形態におけるユーザの特典の情報を構成する。課金割引率のデータは、再生の課金についての割引率のデータである。ユーザ特典データは、課金についての特典以外のユーザの特典についての情報である。このユーザ特典データとしては、例えば
▲１▼オーディオコンテンツデータが曲の場合の歌詞、
▲２▼ジャケット写真、
▲３▼各種のクーポン
▲４▼種々のサービスを取得するためのポイント数
などの取得のための情報とされる。
【００２６】
▲１▼オーディオコンテンツデータが曲の場合の歌詞および▲２▼ジャケット写真の取得情報としては、歌詞およびジャケット写真のデータが光ディスク１０に記録されている場合には、その記録アドレス情報とされる。また、歌詞やジャケット写真のデータが、ネットワーク上のコンテンツプロバイダのサーバーに格納されている場合には、ネットワークを通じて歌詞やジャケット写真のデータを取得するための情報とされる。
【００２７】
▲３▼各種のクーポンは、例えばコンサートチケットの割引券やＲＯＭディスクの購入の際の割引券等である。さらに、▲４▼種々のサービスを取得するためのポイント数は、その蓄積ポイント数に応じて各種のサービスや商品を取得することができるという特典である。これらクーポンやポイントは、光ディスク１０に記録されている場合には、それが取得され、そして、そのポイントの情報は、所定のタイミングで、ネットワーク上のコンテンツプロバイダに報告され、コンテンツプロバイダが管理している各ユーザ毎の例えば蓄積ボックスなどに、当該ユーザの蓄積ポイントして保持される。ユーザは、蓄積ポイント数に応じて、各種のサービスや商品をコンテンツプロバイダーから取得することができる。
【００２８】
光ディスクにクーポンやポイントの情報が記録されていない場合には、ユーザ特典データの指示情報などに従い、データ再生装置がコンテンツプロバイダにアクセスすることにより、コンテンツプロバイダに設けられるユーザ毎の蓄積ボックスにクーポンやポイントがたまる仕組みとされる。
【００２９】
最後の８ビットは、エラー検出用の符号であり、この例では、ＣＲＣ（Ｃｙｃｌｉｃ  Ｒｅｄｕｎｄａｎｃｙ  Ｃｈｅｃｋ）コードが用いられている。
【００３０】
以上のように、コンテンツデータと、電子透かし情報からなる付加情報と、その他の情報とが記録された光ディスク１０は、図１に示すように、スピンドルモータ１１がサーボ回路１２により回転速度制御されることにより、例えば従来のＣＤ（Ｃｏｍｐａｃｔ  Ｄｉｓｃ）プレーヤと同様の速度で回転駆動される。そして、光学ヘッド１３により、この光ディスク１０から読み出されたデータは、ＲＦアンプ１４を通じて復調回路１５に供給される。
【００３１】
この復調回路１５では、ＥＦＭ（Ｅｉｇｈｔ−ｔｏ−Ｆｏｕｒｔｅｅｎ  Ｍｏｄｕｌａｔｉｏｎ）記録されたデータが復調される。この復調回路１５で復調されたデータは、ＥＣＣ（Ｅｒｒｏｒ  Ｃｏｒｒｅｃｔｉｏｎ  Ｃｏｄｅ）デコーダ１６に供給される。ＥＣＣデコーダ１６では、例えばＣＩＲＣ（Ｃｒｏｓｓ  Ｉｎｔｅｒｌｅａｖｅ  Ｒｅｅｄ−Ｓｏｌｏｍｏｎ  Ｃｏｄｅ）を用いたエラー訂正処理が行なわれ、エラー訂正処理後のオーディオＰＣＭ（Ｐｕｌｓｅ  Ｃｏｄｅ  Ｍｏｄｕｌａｔｉｏｎ）データが暗号解読回路１７に供給される。
【００３２】
また、光学ヘッド１３からの情報は、ウォブル検出回路２１に供給されて、光ディスク１０がＲＯＭディスクの場合にはピットウォブルが検出される。そして、ピットウォブルが検出されたか否かの検出出力がシステムコントローラ１００に供給される。そして、光ディスク１０がＲＯＭディスクの場合には、ウォブル検出回路２１で検出されたピットウォブル情報が暗号キー検出回路２２に供給される。暗号キー検出回路２２では、光ディスク１０がＲＯＭディスクに暗号キーが検出され、その検出された暗号キーが暗号解読回路１７に供給される。
【００３３】
暗号解読回路１７は、ＲＯＭディスクからのデータについて、暗号解読ができたか否かの出力をシステムコントローラ１００に供給すると共に、暗号解読されたコンテンツデータを圧縮解凍回路１８に供給する。
【００３４】
なお、光ディスク１０がＲＡＭディスクの場合には、この例では、コンテンツデータは暗号化されない。このため、この実施の形態では、光ディスク１０がＲＡＭディスクの場合には、再生コンテンツデータは暗号解読回路１７をスルーして圧縮解凍回路１８に供給されるように、システムコントローラ１００からの制御信号により制御される。
【００３５】
圧縮解凍回路１８では、データ圧縮されているコンテンツデータを伸長解凍する。圧縮解凍回路１８で伸長解凍されたコンテンツデータは、再生制御回路１９を通じて出力端子２０Ａに供給されると共に、電子透かし情報検出回路（図においては「電子透かし情報」をＷＭと略記している。以下、同じ）２３に供給される。
【００３６】
電子透かし情報検出回路２３からの、電子透かし情報が検出されたか否かの情報は、システムコントローラ１００に供給されると共に、電子透かし情報検出回路２３で検出された電子透かし情報は、電子透かし情報デコード回路２４に供給される。
【００３７】
電子透かし情報デコード回路２４では、図４に示した付加データがデコードされ、そのデコードデータがシステムコントローラ１００に供給される。システムコントローラ１００は、この入力された付加データを用いて、後述するようなユーザの特典についての処理を行う。
【００３８】
また、この実施の形態では、暗号解読回路１７からの圧縮された状態のオーディオデータが、暗号化回路２５を通じてＩＥＥＥ（Ｔｈｅ  Ｉｎｓｔｉｔｕｔｅｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）１３９４インターフェース２６を通じて圧縮信号出力端子２０Ｄに供給される。
【００３９】
システムコントローラ１００は、マイクロコンピュータにより構成されており、システムバス１０２に対して、ＣＰＵ（Ｃｅｎｔｒａｌ  Ｐｒｏｃｅｓｓｉｎｇ  Ｕｎｉｔ）１０１、ＲＯＭ１０３、ＲＡＭ１０４、Ｉ／Ｏポート１１１〜１１８、カードリーダインターフェース１２１、通信インターフェース１２２、キーインターフェース１２３、ＬＣＤ（Ｌｉｑｕｉｄ  Ｃｒｙｓｔａｌ  Ｄｉｓｐｌａｙ；液晶ディスプレイ）インターフェース１２４が接続されている。
【００４０】
ＲＯＭ１０３には、再生処理のためのプログラムの他、後述する課金処理のプログラムや、ユーザ特典情報の処理プログラムが記憶されている。ＲＡＭ１０４は、ワークエリアとして使用される。
【００４１】
カードリーダインターフェース１２１には、プリペイドカード３０が装填されるカードリーダ３１が接続される。この実施の形態では、後述するように、プリペイドカード３０を用いた課金処理が実行される。通信インターフェース１２２は、ネットワークを通じて、コンテンツプロバイダに接続される。また、キーインターフェース１２３には、キー操作部３２が接続される。さらに、ＬＣＤインターフェース１２４には、ＬＣＤ３３が接続される。
【００４２】
以上説明した図１の実施の形態のデータ再生装置におけるデータ再生動作を、図６および図７のフローチャートを参照しながら説明する。このフローチャートに示す処理は、システムコントローラ１００のＲＯＭ１０３に記憶されているプログラムによって実行されるものである。
【００４３】
先ず、光ディスク１０がデータ再生装置に装填された否か判別する（ステップＳ１）。次に、装填された光ディスク１０がＲＯＭタイプか、ＲＡＭタイプかを判別する（ステップＳ２）。
【００４４】
次に、装填された光ディスク１０がＲＯＭタイプであると判別されたときには、キー操作部３２で再生用出力を指示するキー操作がされたか否か判別する（ステップＳ３）。再生用出力を指示するキー操作がされたと判別したときには、データを光ディスク１０から読み出し（ステップＳ４）、暗号解読ができたか否か判別する（ステップＳ５）。暗号解読ができなかったときには、再生を中止し（ステップＳ６）、この処理ルーチンを終了する。
【００４５】
ステップＳ５で暗号解読ができたと判別したときには、電子透かし情報が検出できたか否か判別する（ステップＳ１１）。電子透かし情報が検出されたときには、電子透かし情報デコード回路２４のデコード出力データとして課金割引率およびユーザ特典データを含むユーザ特典情報を抽出する（ステップＳ１２）。そして、課金割引率のデータを取得し（ステップＳ１３）、課金額を計算する（ステップＳ１４）。そして、計算結果の課金額をＬＣＤ３３の画面に表示する。このとき、課金割引率も併せて表示するようにする（ステップＳ１６）。
【００４６】
一方、ステップＳ１１で、電子透かし情報が検出されなかったときには、課金割引無しとして課金額を計算し（ステップＳ１５）、その計算結果の課金額をＬＣＤ３３の画面に表示する（ステップＳ１６）。このときに併せて表示される課金割引率は、０％となる。
【００４７】
次に、システムコントローラ１００は、課金処理が可能であるか否かを判別する（ステップＳ１７）。この判別処理は、ユーザにカードリーダ３１へのプリペイドカード３０の挿入を促し、プリペイドカードの課金残高を調べ、課金処理の実行が可能であるかをどうかをチェックする処理である。
【００４８】
ステップＳ１７での判別の結果、課金残高が不足していると判別された場合には、再生を中止し（ステップＳ２３）、この再生処理ルーチンを終了する。
【００４９】
一方、ステップＳ１７での判別の結果、課金残高が十分であると判別されたときには、コンテンツデータの再生を実行する（ステップＳ１８）。そして、コンテンツデータの再生の終了を待ち（ステップＳ１９）、再生が終了したときには、プリペイドカード３０からの課金金額の引き落としを行って、課金処理を実行する（ステップＳ２０）。なお、課金は、暗号化されているものについては、その暗号の復号（解読）について施される。
【００５０】
次に、ステップＳ１２でユーザ特典データが取得されていて、その処理の必要があるか否か判別し（ステップＳ２１）、処理すべきユーザ特典データがあると判別されたときには、そのユーザ特典データを用いたユーザ特典処理を行う（ステップＳ２２）。このユーザ特典処理の例については、後述する。
【００５１】
ステップＳ２１で処理すべきユーザ特典データが無いと判別されたとき、また、ステップＳ２２でユーザ特典処理が終了したときには、この再生処理ルーチンを終了する。
【００５２】
ステップＳ２で、装填された光ディスク１０がＲＡＭディスクであると判別されたときには、キー操作部３２で再生用出力を指示するキー操作がされたか否か判別し（ステップＳ７）、再生用出力を指示するキー操作がされたと判別したときには、データを光ディスク１０から読み出す（ステップＳ８）。このときには、再生コンテンツデータには暗号化は施されていないので、暗号解読処理を飛ばして、電子透かし情報が検出できたか否か判別する（ステップＳ９）。そして、電子透かし情報が検出されなかったときには、ステップＳ１５の処理に飛んで、課金割引無しとして課金額を計算し、次のステップＳ１６で課金額の表示を行う。以下、上述したステップＳ１７以降の処理を行う。
【００５３】
また、ステップＳ９で電子透かし情報が検出されたと判別されたときには、その電子透かし情報に含まれる著作権情報のＳＣＭＳ情報のデコードデータをチェックする。そして、ＳＣＭＳ情報が不整合を生じていないか否かを判定する（ステップＳ１０）。
【００５４】
すなわち、ＲＡＭディスクには、１回コピーされたコンテンツデータが記録されている。このため、ＲＡＭディスクからの情報から抽出された２ビットのＳＣＭＳ情報は、記録装置によって書き換えられた「１１」の「コピー禁止」の状態になっているはずである。したがって、ステップＳ９で検出された電子透かし情報に含まれるＳＣＭＳ情報が「１１」ではなく、「０１」の「１世代コピー可能」となっているときには、そのＲＡＭディスクのコンテンツデータは不正にコピーされたものであるとすることができる。ステップＳ１０では、このような不整合が生じていないかどうかをチェックし、不整合が生じている場合には、ステップＳ６に進んで、再生を中止するようにする。不整合が生じていない場合には、ステップＳ１２以降に進み、上述と同様の再生処理を行うものである。
【００５５】
なお、著作権者がＣＤ−Ｒには、オリジナルのコンテンツを記録することがあるとする場合には、ＣＤ−ＲとＣＤ−ＲＷとを、例えばその光反射率の違いにより判別し、ＣＤ−ＲＷの場合にのみ、上述のＳＣＭＳ情報の不整合が生じたか否かを判別するようにしてもよい。
【００５６】
次に、ステップＳ２０のユーザ特典処理の例について説明する。図８は、このユーザ特典処理の一例のフローチャートを示すものである。この場合、この例では、光ディスク１０には、再生される曲の歌詞と、演奏者や歌手のジャケット写真の情報が記録されており、電子透かし情報を検出した利用者への特典として、提供されるようにされているものとする。
【００５７】
図８に示すように、ユーザ特典処理においては、まず、ユーザ特典データから取得できるユーザの特典を認識する（ステップＳ３１）。次に、認識された特典は、ディスク１０に記録されている歌詞やジャケット写真などのサービス情報であるか否か判別する（ステップＳ３２）。サービス情報であると判別されたときには、ユーザ特典データに含まれるサービス情報の記録エリア情報に基づき、それらの歌詞やジャケット写真などのサービス情報をディスク１０から読み出し（ステップＳ３３）、ＬＣＤ３３の画面に表示する（ステップＳ３４）。
【００５８】
次に、ステップＳ３２で特典はディスク１０に記録されたサービス情報ではないと判別されたとき、また、ステップＳ３４で取得されたサービス情報の表示がなされたときには、ステップＳ３５に進み、特典にはサービスクーポンが含まれているか否か判別する。そして、サービスクーポンが含まれていると判別されたときには、例えばＲＯＭ１０３に予め登録されているコンテンツプロバイダのアドレスに宛ててネットワークを通じて接続要求を出して、当該コンテンツプロバイダとネットワークを通じた通信回線を形成する（ステップＳ３６）。
【００５９】
そして、ユーザによってキー操作部３２を通じて入力された識別データやパスワードなどがコンテンツプロバイダに送られ、認証チェックが行われ（ステップＳ３７）、認証が取れたときには、コンテンツプロバイダはユーザにクーポンを発行する。このクーポンは、ユーザが適宜の時に、コンテンツプロバイダに要求することにより取得可能とされており、クーポンの発行時には、コンテンツプロバイダ側に設けられるユーザ毎のクーポン蓄積ボックスに保存される（ステップＳ３８）。その後、サービスポイントの蓄積など、その他の特典についての処理（ステップＳ３９）が行われた後、このユーザ特典処理のルーチンを終了する。
【００６０】
ステップＳ３７で認証が取れなかったときには、ユーザにその旨が連絡され、例えばＬＣＤにその旨が表示される（ステップＳ４０）。その後、サービスポイントの蓄積など、その他の特典についての処理（ステップＳ３９）が行われた後、このユーザ特典処理のルーチンを終了する。
【００６１】
次に、この実施の形態では、圧縮された状態のオーディオデータが、ＩＥＥＥ１３９４インターフェース２６を介して出力されるが、この圧縮オーディオデータの出力に際しては、電子透かし情報に含まれるＳＣＭＳ情報が用いられて、ＩＥＥＥ１３９４インターフェース出力制御がなされる。その出力制御について、図９を参照して説明する。
【００６２】
先ず、ステップＳ４１において、ＩＥＥＥ１３９４バスを通じて出力先と通信を行い、出力先はＩＥＥＥ１３９４インターフェースに対応した装置（コンプライアントの装置という）であるか否か判別する。この判別の結果、コンプライアントの装置ではないと判別したときには、ステップＳ４５に進み、圧縮オーディオデータは暗号化処理して出力するが、その暗号化を解く暗号キーは出力先には送出しない。これにより、コンプライアントでない装置での暗号化の解読を不能にしている。
【００６３】
また、ステップＳ４１での判別の結果、出力先はコンプライアントの装置であると判別されたときには、ステップＳ４２に進み、その出力先のコンプライアントの装置は記録装置であるか否か判別する。出力先が記録装置ではないと判別されたときには、ステップＳ４４に飛び、圧縮オーディオデータは暗号化処理して出力するとともに、その暗号化を解く暗号キーも出力先に送出する。
【００６４】
ステップＳ４２で出力先がコンプライアントの記録装置であると判別された場合には、ステップＳ４３に進み、ＳＣＭＳ情報を解読して、「１世代コピー可」とされているか否か判別する。そして、記録が禁止されているときには、ステップＳ４５に進み、圧縮オーディオデータは暗号化処理して出力するが、その暗号化を解く暗号キーは出力先には送出しない。
【００６５】
ステップＳ４３でのＳＣＭＳ情報の解読の結果、記録可であると判別したときには、ステップＳ４４に進み、圧縮オーディオデータは暗号化処理して出力するとともに、その暗号化を解く暗号キーも出力先に送出する。すなわち、圧縮オーディオデータは、ＩＥＥＥ１３９４インターフェース２６を通じて、コンプライアントの記録機に転送される。
【００６６】
以上のＩＥＥＥ１３９４インターフェース出力制御により、ＳＣＭＳ情報によりコピー可とされているときにのみ、転送先のデータ記録装置では、暗号解読可能とされ、記録が可能である。ＳＣＭＳ情報により記録不可とされているときには、圧縮オーディオデータの暗号解読が不可となり、正常な記録ができないこととなる。
【００６７】
以上のようにして、上述の第１の実施の形態においては、電子透かし情報を検出した場合には、ユーザ特典情報が併せて取得され、課金割引が受けられると共に、各種のサービスが受けられる。これに対して、電子透かし情報が検出されない場合には、課金割引は全く受けられず、また、各種サービスも全く受けることができない。
【００６８】
したがって、ユーザは、積極的に、電子透かし情報の検出を利用するようになり、その電子透かし情報に含まれるＳＣＭＳ情報によるコピー世代制限が正しく行われ、著作権保護が適正に確保されるようになる。
【００６９】
なお、以上の第１の実施の形態では、課金はプリペイドカードによるプリペイド方式としたが、予めコンテンツプロバイダに会員登録しておき、ネットワーク経由で認証を行って、課金処理を実行する方式であってもよい。課金処理はプリペイド方式に限らないことは言うまでもない。
【００７０】
［データ再生装置の第２の実施の形態］
図１０は、この発明によるデータ再生装置の第２の実施の形態のブロック図である。この第２の実施の形態も、データ出力装置の実施の形態でもある。この第２の実施の形態は、コンテンツデータが映画データ（画像データおよび音声データからなる）の場合であり、再生対象の記録媒体の例としての光ディスク４０は、ＤＶＤ（Ｄｉｇｉｔａｌ  Ｖｉｄｅｏ  Ｄｉｓｃ）である。そして、この第２の実施の形態においてもプリペイド方式により再生について課金が施されるようにされている。
【００７１】
この第２の実施の形態においては、光ディスク４０に記録されているコンテンツデータには、広告情報が付加されており、その広告情報中にユーザ特典情報が含まれ、広告が再生されたときに、そのユーザ特典情報も読み出し可能となり、各種のユーザ特典が享受できる仕組みとしている。広告情報中に含まれるユーザ特典情報は、この例では、図４に示したものと同様のデータ構造のものとされる。ユーザ特典情報のデータ構造は、これに限らないことは言うまでもない。
【００７２】
以上のように、コンテンツデータと、ユーザ特典情報を含む広告情報と、その他の情報とが記録された光ディスク４０は、図１０に示すように、スピンドルモータ４１がサーボ回路４２により回転速度制御されることにより、所定の速度で回転駆動される。そして、光学ヘッド４３により、この光ディスク４０から読み出されたデータは、ＲＦアンプ４４を通じて復調回路４５に供給される。
【００７３】
復調回路４５で復調されたデータは、ＥＣＣデコーダ４６に供給され、エラー訂正処理が行なわれ、エラー訂正処理後のデータがデ・マルチプレックス回路４７に供給される。
【００７４】
デ・マルチプレックス回路４７では、圧縮された状態のビデオデータ、オーディオデータおよび広告データが分離される。そして、ビデオデータおよびオーディオデータは、暗号解読回路４８に供給されて、暗号化されているこれらビデオデータおよびオーディオデータが暗号解読される。暗号が解読されたときには、その旨を示す情報がシステムコントローラ２００に供給される。課金は暗号の解読に対して発生する。
【００７５】
暗号解読回路４８で暗号が解読されたビデオデータおよびオーディオデータは、圧縮解凍回路４９に供給されて、伸長デコードされる。そして、図示は省略したが、伸長デコードされたビデオデータＶは、例えばＮＴＳＣ方式の映像信号に変換されて、ＮＴＳＣ方式のモニター受像機に供給され、また、伸長デコードされたオーディオデータＡは、アナログオーディオ信号に変換されて、パワーアンプを通じてスピーカに供給される。
【００７６】
また、デ・マルチプレックス回路４７からの広告データは、広告データ取得制御回路５１に供給される。この広告データ取得制御回路５１は、システムコントローラ２００からの制御信号ＳＣにより、ユーザが、後述するキー操作部６２を通じて、広告取得を指示したときにのみ、デ・マルチプレックス回路４７からの広告データを圧縮解凍回路５２および特典情報抽出回路５３に供給する。
【００７７】
圧縮解凍回路５２は、圧縮されている広告データを伸長デコードし、その伸長デコードした広告データＣＭを、出力ビデオ信号Ｖと同様にしてモニター受像機に供給する。
【００７８】
特典情報抽出回路５３は、広告データに含まれるユーザ特典情報を抽出してデコードし、システムコントローラ２００に供給する。システムコントローラ２００では、この入力されたユーザ特典情報を用いて、後述するようなユーザの特典についての処理を行う。
【００７９】
システムコントローラ２００は、マイクロコンピュータにより構成されており、システムバス２０２に対して、ＣＰＵ（Ｃｅｎｔｒａｌ  Ｐｒｏｃｅｓｓｉｎｇ  Ｕｎｉｔ）２０１、ＲＯＭ２０３、ＲＡＭ２０４、Ｉ／Ｏポート２１１〜２１５、カードリーダインターフェース２２１、通信インターフェース２２２、キーインターフェース２２３、ＬＣＤ（Ｌｉｑｕｉｄ  Ｃｒｙｓｔａｌ  Ｄｉｓｐｌａｙ；液晶ディスプレイ）インターフェース２２４が接続されている。
【００８０】
ＲＯＭ２０３には、再生処理のためのプログラムの他、後述する課金処理のプログラムや、ユーザ特典情報の処理プログラムが記憶されている。ＲＡＭ２０４は、ワークエリアとして使用される。
【００８１】
カードリーダインターフェース２２１には、プリペイドカード６０が装填されるカードリーダ６１が接続される。この実施の形態では、後述するように、プリペイドカード６０を用いた課金処理が実行される。通信インターフェース２２２は、ネットワークを通じて、コンテンツプロバイダに接続される。また、キーインターフェース２２３には、キー操作部６２が接続される。さらに、ＬＣＤインターフェース２２４には、ＬＣＤ６３が接続される。
【００８２】
以上説明した図１０の第２の実施の形態のデータ再生装置におけるデータ再生動作を、図１１および図１２のフローチャートを参照しながら説明する。このフローチャートに示す処理は、システムコントローラ２００のＲＯＭ２０３に記憶されているプログラムによって実行されるものである。
【００８３】
先ず、光ディスク４０がデータ再生装置に装填された否か判別し（ステップＳ６１）、装填されたと判別すると、光ディスク４０から記録データに関する情報を読み出し、この読み出した情報を用いて、図１３に示すような、広告バナー付きのコンテンツタイトル画面を表示する（ステップＳ６２）。
【００８４】
すなわち、図１３は、このときのＬＣＤ６３の画面６３Ｄの表示内容を示すもので、コンテンツタイトルや主な出演者の名前などを表示するコンテンツタイトル画面２４０と、この例では４個の広告バナー２３１、２３２、２３３、２３４とが表示される。
【００８５】
広告バナー２３１、２３２、２３３、２３４のそれぞれは、広告についての小見出しであり、それらのいずれかが、キー操作部６２が用いられて選択操作されると、対応する広告データが再生されるように構成されている。
【００８６】
そこで、この図１３の画面が表示されているときには、広告バナー２３１、２３２、２３３、２３４のいずれかが選択操作されたかどうか判別する（ステップＳ６３）。いずれかの広告バナーが選択操作されたと判別されたときには、制御信号ＳＣにより、広告データ取得制御回路５１から、その選択操作された広告バナーに対応する広告データを抽出するようにする。すると、その広告データは、圧縮解凍回路５２により伸長デコードされ、ＬＣＤ６３の画面には、その広告の画面が表示される（ステップＳ６４）。
【００８７】
また、このとき、広告データは、特典情報抽出回路５３に供給されて、ユーザ特典情報が抽出されてデコードされ、そのデコードデータがシステムコントローラ２００に供給され、そのユーザ特典情報が、ＲＡＭ２０４に一時蓄えられる（ステップＳ６５）。
【００８８】
そして、広告の再生が終了すると（ステップＳ６６）、ＲＡＭ２０４に蓄えられてユーザ特典情報を用いたユーザ特典処理を行う（ステップＳ６７）。このユーザ特典処理は、例えば、前述の図８を用いて説明したユーザ特典処理と同様の処理である。
【００８９】
ユーザ特典処理の後は、ステップＳ６２に戻り、広告バナー付きのコンテンツタイトル画面を表示する状態に戻る。そして、ステップＳ６３で他の広告バナーが選択操作されたと判別されたときには、前述のステップＳ６４〜ステップＳ６７の動作が繰り返されて、それぞれの広告に応じたユーザ特典が実行される。
【００９０】
次に、ステップＳ６３において、広告バナーが選択操作されないと判別されたときには、キー操作部６２を通じた再生開始指示がされたか否か判別される（ステップＳ６８）。そして、再生開始指示がされたと判別したときには、その再生開始指示前に、広告が再生がされたか否か判別する（ステップＳ６９）。
【００９１】
広告が再生されたと判別されたときには、ＲＡＭ２０４に記憶されている特典情報に含まれる課金割引率の情報を取得し（ステップＳ７０）、課金額を計算する（ステップＳ７１）。そして、計算結果の課金額をＬＣＤ６３の画面に表示する。このとき、課金割引率も併せて表示するようにする（図１２のステップＳ８１）。
【００９２】
ステップＳ６９で広告が再生されなかったと判別されたときには、課金割引無しとして課金額を計算し（ステップＳ７２）、その計算結果の課金額をＬＣＤ３３の画面に表示する（ステップＳ８１）。このときに併せて表示される課金割引率は、０％となる。
【００９３】
次に、システムコントローラ２００は、課金処理が可能であるか否かを判別する（ステップＳ８２）。この処理は、ユーザにカードリーダ６１へのプリペイドカード６０の挿入を促し、プリペイドカードの課金残高を調べ、課金処理の実行が可能であるかをどうかをチェックする処理である。
【００９４】
ステップＳ８２での判別の結果、課金残高が不足していると判別された場合には、再生を中止し（ステップＳ８８）、この再生処理ルーチンを終了する。
【００９５】
一方、ステップＳ８２での判別の結果、課金残高が十分であると判別されたときには、コンテンツデータの暗号解読が可能であるか否か判別し（ステップＳ８３）、暗号解読が可能ではないと判別したときには、ステップＳ８８に進んで、再生を中止し、この再生処理ルーチンを終了する。
【００９６】
ステップＳ８３で、暗号解読が可能であると判別されたときには、暗号解読を実行する（ステップＳ８４）。そして、課金処理を実行する（ステップＳ８５）。この時の課金金額は、広告を再生したユーザに対しては、前述したように、課金割引があるので、安価となる。その後、コンテンツデータが再生される（ステップＳ８６）。そして、コンテンツデータの再生が終了すると、あるいは、ユーザにより終了指示がなされると（ステップＳ８７）、再生終了となり、この再生処理ルーチンを終了する。
【００９７】
ステップＳ８３で暗号解読ができないと判別されたときには、ステップＳ８８に進み、再生を中止する。
【００９８】
また、ステップＳ６８でコンテンツ再生指示がないと判別したときには、コンテンツ再生の終了指示があったか否か判別し（ステップＳ７３）、終了指示があったときには、この再生処理ルーチンを終了する。終了指示がなかったときには、ステップＳ６２に戻り、上述したステップＳ６２以降の処理を繰り返す。
【００９９】
以上のようにして、上述の第２の実施の形態においては、コンテンツデータの再生に際して広告情報を再生した場合には、ユーザ特典情報が併せて取得され、課金割引が受けられると共に、各種のサービスが受けられる。これに対して、広告を再生することなくコンテンツを再生した場合には、課金割引は全く受けられず、また、各種サービスも全く受けることができない。
【０１００】
したがって、ユーザが、積極的に、広告を再生するようになることを期待することができる。このため、効果的な広告がうてるというメリットがある
なお、以上の第２の実施の形態では、課金はプリペイドカードによるプリペイド方式としたが、予めコンテンツプロバイダに会員登録しておき、ネットワーク経由で認証を行って、課金処理を実行する方式であってもよい。また、課金処理は、プリペイド方式に限らないことは勿論である。
【０１０１】
また、この第２の実施の形態においては、コンテンツ情報に、前述の第１の実施の形態と同様にして電子透かし情報を付加して記録しておき、その電子透かし情報によるユーザ特典が併せて利用することができるようにするようにしてもよい。
【０１０２】
［データ記録装置の実施の形態］
図１４は、この発明によるデータ記録装置の実施の形態のブロック図である。このデータ記録装置の実施の形態は、コンテンツデータが音楽データの場合であり、記録媒体は光ディスク９０である。そして、この実施の形態では、プリペイド方式によりコンテンツの記録について課金が施されるようにされている。
【０１０３】
そして、この実施の形態では、複製記録を制御するための著作権情報、この例では、ＳＣＭＳ情報を含む付加データが、電子透かし情報としてコンテンツデータに付加されるものである。この場合に、電子透かしの付加データは、第１の実施の形態と同様のユーザの特典の情報を含むものとされており、そのデータ構造としては、前述の図４に示したものとほぼ同一のものが用いられている。
【０１０４】
さらに、この実施の形態においては、記録の際に、記録対象のコンテンツデータから電子透かし情報が検出された時のユーザの特典として、電子透かし情報を利用しなかった場合に比べて、コンテンツデータを高品質で記録することができるようにされている。
【０１０５】
また、この実施の形態においては、データ記録装置に入力されるコンテンツデータは、デジタルデータの場合と、アナログデータの場合の両方を想定していると共に、それぞれのデータには、デジタル用電子透かし情報およびアナログ用電子透かし情報が、それぞれ付加されている。
【０１０６】
例えば、デジタル用電子透かし情報としては、１６ビットのオーディオＰＣＭデータの最下位ビットから４ＳＢ（ＬＳＢから数えて４番目）までに、埋め込むようにする電子透かし情報を用いられる。また、アナログ用電子透かし情報としては、前述の図３に示したようにして埋め込む電子透かし情報が用いられる。
【０１０７】
図１４において、デジタル入力端子７１Ｄを通じて入力されたデジタルオーディオＰＣＭデータは、セレクタ７２に供給されると共に、デジタル用電子透かし情報検出回路（以下、ＤＷＭ検出回路という。図においても同じ）７４に供給される。
【０１０８】
また、アナログ入力端子７１Ａを通じて入力されたアナログオーディオ信号は、Ａ／Ｄ変換器７３にてデジタル信号に変換された後、セレクタ７２に供給されると共に、アナログ用電子透かし情報検出回路（以下、ＡＷＭ検出回路という。図においても同じ）７５に供給される。そして、ＤＷＭ検出回路７４からの電子透かし情報の検出出力と、ＡＷＭ検出回路７５からの電子透かし情報の検出出力とが、システムコントローラ３００に供給される。
【０１０９】
システムコントローラ３００は、セレクタ７２から、いずれのオーディオＰＣＭデータを出力するかの入力セレクト信号を、セレクタ７２に供給する。システムコントローラ３００は、キー入力部９５を通じた操作者の選択入力操作に応じた入力セレクト信号を生成する。
【０１１０】
セレクタ７２から得られたデータは、記録制御回路７６に供給される。システムコントローラ３００は、このＤＷＭ検出回路７４またはＡＷＭ検出回路７５からの検出出力中のＳＣＭＳ情報に応じた制御信号を、記録制御回路７６に供給し、記録を実行するか、記録不可とするかの記録制御を行う。
【０１１１】
記録制御回路７６で記録を実行するとされたときには、オーディオＰＣＭデータは、品質選択回路７７に供給される。システムコントローラ３００は、ＤＷＭ検出回路７４またはＡＷＭ検出回路７５からの電子透かし情報の検出出力を受け取ったときには、この品質選択回路７７を高品質出力側に切り換え、その他のときには、この品質選択回路７７を低品質出力側に切り換える。
【０１１２】
図１５は、この品質選択回路７７の一例を示すブロック図である。この品質選択回路７７においては、１６ビットの入力オーディオデータは、入力バッファ７７１に供給される。
【０１１３】
この入力バッファ７７１の１６ビットのオーディオデータのうちの上位１２ビットは、そのまま出力バッファ７７２の上位１２ビットとして供給される。また、入力バッファ７７１の１６ビットのオーディオデータのうちの下位４ビットのデータは、４ビット単位のセレクタ７７４の一方の入力端Ａに供給される。セレクタ７７４の他方の入力端Ｂには、“０”発生回路７７３からの４ビットの“０”データが供給される。
【０１１４】
そして、システムコントローラ３００は、ＤＷＭ検出回路７４またはＡＷＭ検出回路７５からの電子透かし情報の検出出力を受け取ったときには、セレクタ７７４を入力端Ａの入力データを選択して出力するように制御し、また、ＤＷＭ検出回路７４またはＡＷＭ検出回路７５からの電子透かし情報の検出出力を受け取らなかったときには、セレクタ７７４を入力端Ｂの入力データを選択して出力するように制御する。
【０１１５】
したがって、このデータ記録装置において、ＤＷＭ検出回路７４またはＡＷＭ検出回路７５で電子透かし情報の検出が行われて電子透かし情報が利用されるときには、セレクタ７７４からは、入力端Ａ側の入力バッファ７７１からの元のオーディオＰＣＭデータの下位４ビットが出力され、それが出力バッファ７７２の下位４ビットとして供給される。また、電子透かし情報が利用されないときには、セレクタ７７４からは、入力端Ｂ側の“０”発生回路７７３からの４ビットの“０”データが出力バッファ７７２に、その下位４ビットとして供給される。
【０１１６】
こうして、電子透かし情報が利用されないときには、１６ビットのオーディオＰＣＭデータの下位４ビットは、全て“０”データに変換されて、品質選択回路７７から出力されるので、元のオーディオＰＣＭデータよりも品質が低下する。一方、電子透かし情報が利用されるときには、元の１６ビットのオーディオＰＣＭデータがそのまま品質の低下なく品質選択回路７７から出力される。したがって、電子透かし情報が利用されるときには、そうでないときに比べて高品質のデータとされる。
【０１１７】
品質選択回路７７からのオーディオデータは、電子透かし情報付加回路７８に供給されて、この電子透かし情報付加回路７８において、図４に示した電子透かし情報のうちのＳＣＭＳ情報の書き換えが行われる。すなわち、ＤＷＭ検出回路７４またはＡＷＭ検出回路７５で検出された電子透かし情報に含まれていたＳＣＭＳ情報が「１世代コピー可」であるときには、電子透かし情報付加回路７８では、「コピー禁止」に書き換えられる。
【０１１８】
この電子透かし情報付加回路７８からのオーディオデータは、ＥＣＣエンコーダ７９に供給される。ＥＣＣエンコーダ７９では、その入力データについて、例えばＣＩＲＣ（Ｃｒｏｓｓ  Ｉｎｔｅｒｌｅａｖｅ  Ｒｅｅｄ−ＳｏｌｏｍｏｎＣｏｄｅ）を用いるエラー訂正エンコード処理が行われる。
【０１１９】
そして、ＥＣＣエンコーダ７９は、そのエラー訂正エンコード処理したデータを圧縮回路８０に供給する。圧縮回路８０は、オーディオデータの圧縮処理を行ない、圧縮後のデータを記録変調回路８１に供給する。記録変調回路８１では、記録に適した変調処理、例えばＥＦＭ（Ｅｉｇｈｔ−ｔｏ−Ｆｏｕｒｔｅｅｎ  Ｍｏｄｕｌａｔｉｏｎ）方式による記録変調を行う。
【０１２０】
記録変調回路８１は、その変調したデータを記録アンプ８２を通じて記録ヘッド８３に供給する。記録ヘッド８３は、ＲＡＭタイプの光ディスク９０にデータを書き込む。光ディスク９０は、スピンドルモータ９１により回転駆動されるが、サーボ回路９２により、線速度一定のサーボ制御により、所定の回転速度となるようにされる。サーボ回路９２は、例えば記録すべきオーディオＰＣＭ信号に基づいて速度サーボ信号を生成して、スピンドルモータ９１に供給する。
【０１２１】
光ディスク９０がＣＤ−Ｒの場合には、記録ヘッド８３は、光ディスク９０の記録層の屈折率を変化させることにより、データを記録する。また、光ディスク９０がＣＤ−ＲＷの場合には、結晶／アモルファス（非結晶）により、データが記録される。
【０１２２】
システムコントローラ３００は、図１４では省略したが、前述の実施の形態と同様にマイクロコンピュータにより構成されている。そして、そのＣＰＵにシステムバスを介して接続されるＲＯＭには、記録処理のためのプログラムの他、課金処理のプログラムや、ユーザ特典情報の処理プログラムが記憶されている。
【０１２３】
課金処理のため、この実施の形態においても、システムコントローラ３００には、プリペイドカード９３が装填されるカードリーダ９４が接続される。また、システムコントローラ３００は、ネットワークを通じて、コンテンツプロバイダに接続される。また、キー操作部９５、さらに、ＬＣＤ９６が、システムコントローラ３００に接続されている。
【０１２４】
以上説明した図１４の実施の形態のデータ記録装置におけるデータ記録動作（データ記録方法の実施の形態）を、図１６のフローチャートを参照しながら説明する。
【０１２５】
先ず、キー操作部９５のうちの記録キーが操作されて、記録命令が指示されたか否か判別する（ステップＳ９１）。記録キーが操作されなかったと判別されたときには、その他の操作されたキーに応じた処理を行う（ステップＳ９２）。
【０１２６】
記録キーが操作されたときには、記録命令がされたと判別して、そのときの入力データの形式がアナログ入力であるか否か判別する（ステップＳ９３）。この判別は、キー操作部９５での入力選択がアナログ入力であるか、デジタル入力であるかの判別である。アナログ入力であると判別されたときには、アナログ用の電子透かし情報の検出を行い、そのアナログ用の電子透かし情報が検出できたか否か判別する（ステップＳ９４）。
【０１２７】
ステップＳ９４で、アナログ用電子透かし情報が検出できなかったと判別されたときには、システムコントローラ３００は品質選択回路７７に、下位４ビットをオール“０”に変換した低品質のオーディオデータを出力するように指示する。このため、光ディスク９０には低品質でオーディオデータが記録される（ステップＳ９８）。
【０１２８】
また、ステップＳ９４でアナログ用電子透かし情報の検出ができたときには、そのアナログ用電子透かし情報を解読する（ステップＳ９５）。その解読の結果、アナログ用電子透かし情報が、「１世代コピー可」となっているか否か判別し（ステップＳ９６）、なっているときには、記録を実行するように記録制御回路７６を制御すると共に、品質選択回路７７に、元の１６ビットのオーディオデータからなる高品質のデータ出力を指示する。したがって、光ディスク９０には、元の品質を維持したオーディオデータが記録される（ステップＳ９７）。このとき、電子透かし情報付加回路７８では、電子透かし情報の付加が行われるが、そのＳＣＭＳ情報は、「１世代コピー可」から「コピー禁止」に書き換えられる。ＳＣＭＳ以外の電子透かし情報は、この例では、検出された電子透かし情報がそのまま用いられて記録される。
【０１２９】
また、ステップＳ９６での判別の結果、アナログ用電子透かし情報の判別結果が「コピー禁止」となっていたときには、ステップＳ１０４に進んで、記録制御回路７６を制御して、記録不可処理を行う。具体的には、記録データの品質選択回路７７以降への供給を停止し、記録を中止する。
【０１３０】
また、ステップＳ９３で、アナログ入力ではなく、デジタル入力であると判別されたときには、デジタル用の電子透かし情報の検出を行い、そのデジタル用の電子透かし情報が検出できたか否か判別する（ステップＳ９９）。そして、デジタル電子透かし情報を検出できなかったときには、システムコントローラ３００は、品質選択回路７７に、下位４ビットをオール“０”に変換した低品質のオーディオデータを出力するように指示する。このため、光ディスク９０には低品質でオーディオデータが記録される（ステップＳ１０３）。
【０１３１】
また、ステップＳ９９でデジタル用電子透かし情報の検出ができたときには、そのデジタル用電子透かし情報を解読する（ステップＳ１００）。その解読の結果、デジタル用電子透かし情報が、「１世代コピー可」となっているか否か判別し（ステップＳ１０１）、なっているときには、記録を実行するように記録制御回路７６を制御すると共に、品質選択回路７７に、元の１６ビットのオーディオデータからなる高品質のデータ出力を指示する。したがって、光ディスク９０には、元の品質を維持したオーディオデータが記録される（ステップＳ１０２）。
【０１３２】
また、ステップＳ１０１での判別の結果、デジタル用電子透かし情報の判別結果が「記録禁止」となっていたときには、ステップＳ１０４に進んで、記録を中止するように制御する。以上で、記録処理は終了である。
【０１３３】
なお、以上の図１６の説明は、ユーザ特典としての記録品質の確保を中心にしたものであるので、課金処理およびその他のユーザ特典処理は省略したが、この例のデータ記録装置においても、前述の実施の形態のデータ再生装置と同様にして、電子透かし情報が利用されたときには、ユーザ特典情報に含まれる課金割引率のデータを用いた課金処理が行われ、電子透かし情報が利用されないときには、割引のない課金が行われる。
【０１３４】
また、電子透かし情報が利用されたときには、ユーザ特典情報に含まれるサービスデータの取得や、各種のクーポンの取得などの特典を、ユーザは、享受することができるものである。
【０１３５】
また、記録対象のコンテンツデータに広告情報が付加されている場合においては、記録に先立ち、その広告を再生したときには、記録の課金についての割引の利益を受けることができ、また、その他のユーザ特典を得ることができる。
【０１３６】
以上のようにして、上述の実施の形態のデータ記録装置においては、コンテンツデータの記録に際して電子透かし情報を利用した場合には、利用しなかった場合に比べて高品質で複製記録ができる。また、ユーザ特典情報が併せて取得され、課金割引が受けられると共に、各種のサービスが受けられる。
【０１３７】
したがって、ユーザが、積極的に、電子透かし情報を利用するようになることを期待することができ、適正な著作権保護が行えるようになる。
【０１３８】
なお、以上の実施の形態においても、課金はプリペイドカードによるプリペイド方式としたが、予めコンテンツプロバイダに会員登録しておき、ネットワーク経由で認証を行って、課金処理を実行する方式であってもよい。また、課金処理は、プリペイド方式でなくてもよい。
【０１３９】
［その他の実施の形態］
データ再生装置の実施の形態においても、上述の図１４のデータ記録装置の実施の形態の品質選択回路７７と同様のものを設けて、電子透かし情報を利用したり、広告を再生した場合のユーザ特典として、それらを利用しなかったり、再生しなかった場合に比べて、再生出力品質を高品質にするように制御する構成とすることができる。
【０１４０】
また、データ記録装置の実施の形態において、電子透かし情報を利用しなかった場合には、規格で定められた標準の記録速度でのコピー記録を行うが、電子透かし情報を利用した場合には、規格で定められた標準の記録速度よりも高速度でのコピー記録を行うことができるように、ユーザ特典を与えてもよい。
【０１４１】
また、電子透かし情報を利用した場合や広告を再生した場合に、ＬＣＤ画面に、ユーザ特典のメニューを表示して、そのメニューからユーザが特典を選択することができるような構成とすることもできる。この場合には、電子透かし情報を利用したことや広告を再生したことにより、ユーザ特典が享受できることをメッセージとして表示することにより、さらなる電子透かし情報の利用や広告の再生を促進することが期待できる。
【０１４２】
また、著作権情報は、電子透かし情報としてではなく、その他の付加形式によりコンテンツデータに付加されている場合にも、上述と同様にして、この発明は適用可能である。
【０１４３】
なお、この発明によるデータ出力装置の実施の形態は、再生装置に限られるものではなく、例えば、いわゆるセットトップボックスや放送受信装置などのデータ出力装置にも適用可能である。
【０１４４】
【発明の効果】
以上説明したように、この発明によれば、広告が再生された場合には、ユーザに特典が与えられる仕組みとしたので、広告の再生が促進される。したがって、広告のヒット率が上がるので、効果的な広告がうてるという効果もある。
【図面の簡単な説明】
【図１】この発明によるデータ再生装置の第１の実施の形態のブロック図である。
【図２】図１の実施の形態の動作の説明のための図である。
【図３】電子透かし情報の一例を説明するための図である。
【図４】図１の実施の形態におけるユーザ特典情報を説明するための図である。
【図５】著作権管理情報の一例を説明するための図である。
【図６】図１の実施の形態の再生動作の説明のためのフローチャートの一部である。
【図７】図１の実施の形態の再生動作の説明のためのフローチャートの一部である。
【図８】図１の実施の形態におけるユーザ特典処理を説明するためのフローチャートである。
【図９】図１の実施の形態におけるデータ出力制御を説明するためのフローチャートである。
【図１０】この発明によるデータ再生装置の第２の実施の形態のブロック図である。
【図１１】図１０の第２の実施の形態の再生動作の説明のためのフローチャートの一部である。
【図１２】図１０の第２の実施の形態の再生動作の説明のためのフローチャートの一部である。
【図１３】図１０の第２の実施の形態の再生動作の説明に用いる図である。
【図１４】この発明によるデータ記録装置の実施の形態のブロック図である。
【図１５】図１４の実施の形態の一部回路のブロック図である。
【図１６】図１４の実施の形態における記録動作の説明のためのフローチャートである。
【符号の説明】
２３…電子透かし情報検出回路、２４…電子透かし情報デコード回路、１００…システムコントローラ、５１…広告データ取得制御回路、５３…特典情報抽出回路、２００…システムコントローラ、７４…デジタル用電子透かし情報検出回路、７５…アナログ用電子透かし情報検出回路
【図１】
0004214347.tif 000002
【図２】
0004214347.tif 000003
【図３】
0004214347.tif 000004
【図４】
0004214347.tif 000005
【図５】
0004214347.tif 000006
【図６】
0004214347.tif 000007
【図７】
0004214347.tif 000008
【図８】
0004214347.tif 000009
【図９】
0004214347.tif 000010
【図１０】
0004214347.tif 000011
【図１１】
0004214347.tif 000012
【図１２】
0004214347.tif 000013
【図１３】
0004214347.tif 000014
【図１４】
0004214347.tif 000015
【図１５】
0004214347.tif 000016
【図１６】
0004214347.tif 000017